(57)【要約】      （修正有）【課題】良好な価格の安定化をもたらす、特に燃料として使用するための、脂肪廃棄物を加工するための方法を提供する。【解決手段】脂肪廃棄物１，１’を、水８および酸性試薬７と混合し、アルカリ金属およびアルカリ土類金属の族に属する無機元素を含んでいない、無機物が除去された脂肪相と、沈殿物としての固体残留物を含み得る水相とを得る化学的処理、得られた混合物をデカンテーションまたは濾過によって機械的に分離し、無機物が除去された脂肪相を、水相１２から分離する機械的処理からなる。【選択図】図１
2010089080.tif 000002
【特許請求の範囲】
【請求項１】
脂肪廃棄物を加工するための方法であって、
脂肪廃棄物（１，１’）の化学的処理、および該化学的処理の後に実施する機械的処理を包含し、
該化学的処理において、該脂肪廃棄物（１，１’）を水（８）および酸性試薬（７）に混合して、アルカリ金属およびアルカリ土類金属の族に属する無機元素を含まない、無機物が除去された脂肪相と、沈殿物としての固体残留物を含み得る水相とを得、
該機械的処理において、得られた混合物を、デカンテーションまたは濾過による機械的処理（１１）に供して、該無機物が除去された脂肪相を該水相から分離する
ことを特徴とする方法。
【請求項２】
上記脂肪廃棄物（１，１’）が、農業食品または化粧品産業からの廃棄物、特にこれらをデカンテーションする施設からの廃棄物、飲食店および食品調製設備からの廃棄物、スキミングタンクおよびデグリーサーなどの、都市廃水または工業廃水を前処理する施設からの廃棄物、あるいは解体業者からの廃棄物である、請求項１に記載の方法。
【請求項３】
上記脂肪廃棄物（１，１’）が、主として、脂肪画分、水溶性画分および残留物画分から構成されており、無水ベースで少なくとも９０％の有機物と無水ベースで１０％以下の灰とを含む脂肪画分のみを保持するように予め加工される、請求項１または２に記載の方法。
【請求項４】
上記脂肪廃棄物（１，１’）、水（８）および酸性試薬（７）を、４５〜１３０℃、好ましくは５０〜９０℃の温度で混合する、請求項１〜３の何れか１項に記載の方法。
【請求項５】
上記脂肪廃棄物（１，１’）、水（８）および酸性試薬（７）を、上記混合物を均質化するために攪拌（４）しながら、混合する、請求項１〜４の何れか１項に記載の方法。
【請求項６】
上記脂肪廃棄物（１，１’）と混合される水（８）の量は、該脂肪廃棄物（１，１’）の体積の１／１０〜１／２であり、好ましくは該脂肪廃棄物（１，１’）の体積の約１／４である、請求項１〜５の何れか１項に記載の方法。
【請求項７】
上記脂肪廃棄物（１，１’）と混合される酸性試薬（７）の量は、該脂肪廃棄物（１，１’）の体積の０．５〜１０％であり、好ましくは該脂肪廃棄物（１，１’）の体積の０．５〜４％である、請求項１〜６の何れか１項に記載の方法。
【請求項８】
上記脂肪廃棄物（１，１’）と混合される酸性試薬（７）は、式ＨＣｌ、式Ｈ３ＰＯ４、式ＨＮＯ３または式Ｈ２ＳＯ４などの無機酸、およびｐＫａが水性媒体中の脂肪廃棄物のｐＨよりも低い有機酸からなる群より選択される少なくとも１つの酸から構成され、
例えば、水性媒体中においてｐＨが約４．５である脂肪廃棄物についての該有機酸が、ギ酸ＨＯＯＨである、請求項１〜７の何れか１項に記載の方法。
【請求項９】
上記脂肪廃棄物（１，１’）の化学的処理は、主として、該脂肪廃棄物（１，１’）と混合されるべき水（８）の総量の１０〜３０％の少量の水（８）に、該脂肪廃棄物（１，１’）を最初に混合して、この混合物が均質化され、４５〜１３０℃の温度にまで加熱し、次いで、該脂肪廃棄物（１，１’）と混合されるべき水（８）の総量の残余および酸性試薬（７）を、該混合物に同時に添加することからなる、請求項１〜８の何れか１項に記載の方法。
【請求項１０】
上記脂肪廃棄物（１，１’）を、常にまたは断続的に攪拌（４）しながら、５分〜３時間の反応時間、好ましくは約４５分の反応時間にわたって、水（８）および酸性試薬（７）に混合する、請求項１〜９の何れか１項に記載の方法。
【請求項１１】
上記化学的処理の後に得られた上記混合物を、上記機械的処理を実施するために加熱する、請求項１〜１０の何れか１項に記載の方法。
【発明の詳細な説明】
【発明の詳細な説明】
【０００１】
本発明は、一般的に、廃棄物の加工の分野に関し、特に燃料として使用するための廃棄物の加工の分野に関する。
【０００２】
より具体的には、本発明は、脂肪廃棄物を加工するための方法、特に燃料として使用するために脂肪廃棄物を加工するための方法に関する。
【０００３】
より詳細には、本発明は、農業食品または化粧品産業からの脂肪廃棄物、特にこれらをデカンテーションする施設からの脂肪廃棄物、あるいは飲食店および食品調製施設からの脂肪廃棄物、ならびに都市廃水または工業廃水を前処理する施設（スキミングタンクおよびデグリーサーなど）からの脂肪廃棄物、あるいはさらに解体業者（knackeries）からの脂肪廃棄物に適用可能である。
【０００４】
これらの脂肪廃棄物は、主として、脂肪画分、水溶性画分および残留物画分から構成されている。
【０００５】
本発明によって扱われかつ不均質な組成を有する脂肪廃棄物は、固体および／または液体であってもよい。この脂肪廃棄物は、複数の種類の植物油および／または複数の種類の動物油から構成されていてもよい。
【０００６】
本発明は、無水ベースで少なくとも９０％の有機物を含むが、無水ベースで１００％までの灰も含み得る脂肪画分に、特に適用可能である。
【０００７】
灰は、脂肪廃棄物のサンプル中に含まれている無機物に相当する。より詳細には、灰は、メンデレーエフの化学元素の周期表に記載の、アルカリ金属の族（Ｌｉ、Ｎａ、Ｋ、Ｒｂ、Ｃｓ、Ｆｒ）および／またはアルカリ土類金属の族（Ｂｅ、Ｍｇ、Ｃａ、Ｓｒ、Ｂａ、Ｒａ）に属する無機元素に相当する。
【０００８】
この脂肪画分は、エネルギーの目的に使用することを可能にするような高発熱量を有している。脂肪画分の正味の発熱量（即ち、ＮＣＶ）は、３３．４９４×１０６〜３７．６８１×１０６ジュール／ｋｇ（即ち、８０００〜９０００ｋｃａｌ／ｋｇ）であり得る。
【０００９】
それにもかかわらず、脂肪画分中に無機物が高い割合で含有されているため、エネルギーの目的への使用は制限されている。
【００１０】
例えば、バーナーの製造業者は、コジェネレーションエンジン（cogeneration engine）の場合において、最大で０．０３ｗｔ％の無機物の割合、さらには最大で０．０１ｗｔ％の無機物の割合を推薦しているに対し、本発明が関与する脂肪画分は、無水ベースで１０ｗｔ％以下の無機物を含んでいてもよい。
【００１１】
目下のところ、ボイラー内における脂肪画分の燃焼は、重大なファウリングを招き、さらに、ガス中に多量の埃の屑をもたらす。自動車のエンジンまたはコジェネレーションエンジン内における脂肪画分の燃焼は、機械の不調を引き起こすこともある。
【００１２】
従って、この脂肪画分の価格の安定化（valorization）の代替方法は、工業用炉またはセメント工場の炉における、今日の脂肪画分の使用を単に低減させる。
【００１３】
これに関して、本発明の目的は、上述の制限の少なくとも１つを免除する脂肪廃棄物の加工方法、特に、これらの廃棄物の価格の安定化を改善することを可能にする脂肪廃棄物の加工方法を提案することである。
【００１４】
この目的を達成するために、本発明は、脂肪廃棄物の化学的処理と、この化学的処理の後に実施する機械的処理とを含んでいることを特徴としている、脂肪廃棄物を加工するための方法に関する。化学的処理において、脂肪廃棄物を水および酸性試薬（acid-type reagent）と混合し、無機物が除去された脂肪相と、沈殿物の形態の固体残留物を含み得る水相とを得る。機械的処理の間に、得られた混合物を、デカンテーションまたは濾過によって機械的に分離し、無機物が除去された脂肪相を水相から分離する。
【００１５】
このため、本発明の無機物が除去された脂肪相は、アルカリ金属の族および／またはアルカリ土類金属の族に属する無機元素を含んでいない。
【００１６】
化学的処理による脂肪廃棄物からの無機物の除去は、メンデレーエフの化学元素の周期表において、アルカリのファミリー（Ｌｉ、Ｎａ、Ｋ、Ｒｂ、Ｃｓ、Ｆｒ）および／またはアルカリ土類のファミリー（Ｂｅ、Ｍｇ、Ｃａ、Ｓｒ、Ｂａ、Ｒａ）に属する無機元素の除去に相当する。
【００１７】
無機物の割合の分析は、無機物除去反応の性能を示す。この分析は、適用されたスタンダードに依存して５５０℃〜８１５℃の温度で（例えば、バイオマスの場合は５５０℃であり、ＮＦ  ＥＮ  ＩＳＯ  ６２４５に基づく石油製品の場合は７７５℃であり、ＮＦ  Ｍ  ０３−００３に準じる石炭の場合は８１５℃である。）、完全な燃焼（即ち、か焼）を実施することからなる。
【００１８】
有利な形態の本発明によれば、脂肪廃棄物は、農業食品または化粧品産業からの（特にこれらをデカンテーションする施設からの）廃棄物であるか、飲食店および食品調製施設からの廃棄物であるか、都市廃水または工業廃水を前処理する施設（スキミングタンクおよびデグリーサーなど）からの廃棄物であるか、あるいは解体業者からの廃棄物である。
【００１９】
脂肪廃棄物は、主として、脂肪画分、水溶性画分および残留物画分から構成されてもよく、無水ベースで少なくとも９０％（好ましくは９０〜９９％）の有機物と、無水ベースで１０％以下（好ましくは１〜１０％）の灰とを含む脂肪画分のみを保持するように、本発明の方法の前に加工されてもよい。
【００２０】
無水ベースにおける有機物または灰の含有量は、脂肪廃棄物の固体（即ち、水から遊離された脂肪廃棄物の抽出物）の、有機物または灰の含有量に相当する。
【００２１】
より具体的には、本発明の方法の機械的分離を、重力によるデカンテーションまたは促進的なデカンテーション（accelerated decanting）によって実施してもよいし、さらに、例えば２０μｍ〜１ｍｍ（好ましくは５０μｍ〜１ｍｍ）のメッシュを用いた、加圧式または非加圧式の熱時表面濾過（hot surface filtering）によって実施してもよい。
【００２２】
好ましくは、脂肪廃棄物、水および酸性試薬を、４５〜１３０℃の温度で混合する。
【００２３】
脂肪廃棄物、水および酸性試薬を、混合物を均質化するために、攪拌によって混合することが有利である。
【００２４】
例えば、脂肪廃棄物に混合される水の量は、脂肪廃棄物の体積の１／１０〜１／２であり、好ましくは脂肪廃棄物の体積の約１／４である。
【００２５】
脂肪廃棄物に水を混合する前において、水は、室温または３０〜１００℃の温度であることが好ましく、５０〜７０℃の温度であることが最も好ましい。
【００２６】
無機物が除去された水、飲料水または清潔なプロセス水を使用してもよい。「プロセス水」は、プロセスを実施するか、製品を製造するための工業施設において使用される水を意味する。
【００２７】
好ましい実施形態の本発明によれば、脂肪廃棄物に混合される酸性試薬の量は、脂肪廃棄物の体積の０．５〜１０％であり、好ましくは脂肪廃棄物の体積の０．５〜４％である。
【００２８】
脂肪廃棄物に混合される酸性試薬の量は、これらの廃棄物に含まれる灰の割合と比例することが有利である。
【００２９】
脂肪廃棄物に混合される酸性試薬は、無機酸（式ＨＣｌ、式Ｈ３ＰＯ４、式ＨＮＯ３または式Ｈ２ＳＯ４の無機酸など）、およびｐＫａが水性媒体中の脂肪廃棄物のｐＨよりも低い有機酸から成る群より選択される少なくとも１つの酸から構成されることが有利である。例えば、水性媒体中においてｐＨが約４．５である脂肪廃棄物についての有機酸は、ギ酸ＨＯＯＨである。
【００３０】
特定の形態の本発明によれば、脂肪廃棄物の化学的処理は、主として、少量（脂肪廃棄物に混合されるべき水の総量の１０〜３０％）の水に、これらの脂肪廃棄物を最初に混合して、この混合物が均質化され、４５〜１３０℃の温度にまで加熱し、次いで、脂肪廃棄物に混合されるべき水の総量の残余および酸性試薬を、この混合物に同時に添加することからなる。
【００３１】
脂肪廃棄物を、常にまたは断続的に攪拌しながら、５分〜３時間の反応時間にわたって、水および酸性試薬と混合することが好ましい。反応時間は約４５分であることがより好ましい。
【００３２】
本発明の方法は、脂肪廃棄物を水および酸性試薬に混合する前に、任意の不純物の除去を意図した、脂肪廃棄物を濾過する第一の操作をさらに含んでいてもよい。
【００３３】
例えば、脂肪廃棄物を濾過する第一の操作は、２０μｍ〜１ｍｍのメッシュを用いて実施される加圧式の表面濾過である。メッシュは、好ましくは５０μｍ〜１ｍｍのメッシュであり、最も好ましくは約２５０μｍのメッシュである。
【００３４】
機械的処理の後に、無機物が除去された脂肪相を濾過する第二の操作を、実施してもよい。
【００３５】
この無機物が除去された脂肪相を濾過する第二の操作は、２０μｍ〜１ｍｍ、好ましくは５０μｍ〜１ｍｍのメッシュを用いて実施される、加圧式または非加圧式の熱時表面型の濾過操作であることが好ましい。
【００３６】
化学的処理の後に得られた混合物を、機械的処理を実施するために加熱することが有利である。
【００３７】
このようにして、脂肪廃棄物を化学的処理に供し、次いで機械的処理に供した後に得た、無機物が除去された脂肪相を、価格の安定化のプロセスに供してもよい。
【００３８】
特定の形態の本発明によれば、脂肪廃棄物を化学的処理に供し、次いで機械的処理に供した後でかつ価格の安定化の前に得た、無機物が除去された脂肪相を、貯蔵し、加熱する。貯蔵する間に注がれた残留物があれば、この残留物を、無機物が除去された脂肪相から除去する。
【００３９】
このように、本発明の方法は、脂肪廃棄物の由来が如何なるものであれ、脂肪廃棄物から無機物を除去して、価格の安定化の任意の代替方法においてエネルギーの目的のためにこの脂肪廃棄物を使用することを可能する。
【００４０】
本発明の脂肪廃棄物（より具体的には、脂肪画分）を加工するための方法は、アルカリ金属の族および／またはアルカリ土類金属の族に属する無機物を除去し、０．１ｗｔ％未満または０．０３ｗｔ％未満の灰の割合を達成することができる。
【００４１】
このように無機物の割合が減少しているため、生産現場におけるボイラー用燃料の形態の脂肪廃棄物および／または脂肪画分の価格を特に安定させることができ、例えば、輸送に関連するコストを低減させることができ、それ故、脂肪廃棄物および／または脂肪画分を、生産現場から比較的遠距離にあるセメント工場の炉または工業用炉へ輸送する状況と比べて、二酸化炭素の放出を低減することができる。
【００４２】
一方、このように無機物の割合が減少しているため、より過激な汚染物質、環境への優しさにより乏しい燃料（燃料油など）の代わりに、無機物が除去された脂肪廃棄物を、この脂肪廃棄物を生物燃料へ変換した後に、新規の用途に使用することができる。新規の用途としては、都市のボイラーまたは工業用ボイラー、コジェネレーションエンジン、自動車のエンジンなどが挙げられる。
【００４３】
さらに、本発明に従って加工した後の脂肪廃棄物の燃料としての使用は、大気に煙を放出する前のさらなる処理を必要としない煙を放出するという利点を有しており、燃焼施設のファウリングを回避するという利点も有している。
【００４４】
本発明の他の特徴および利点は、添付の図１を参照しながら、非限定的な例を用いて記載される以下の詳細な説明を読めば、より明らかになるであろう。図１は、本発明の方法を実行するために適合された装置の模式図である。
【００４５】
加工される脂肪廃棄物１（好ましくは、水溶性画分および残留物画分を予め除去した脂肪廃棄物１の脂肪画分（図示しない））を、図１に示す装置に提供する。
【００４６】
脂肪廃棄物１は、第一の濾過器２において第一の濾過を実施され、不純物が可能な限り多く除去される。
【００４７】
この濾過は、２０μｍ〜１ｍｍのメッシュを用いて実施される加圧式の表面濾過であってもよい。メッシュは、５０μｍ〜１ｍｍのメッシュであることが好ましく、約２５０ｍｍのメッシュであることがより好ましい。
【００４８】
次いで、濾過された脂肪廃棄物１’を反応槽３に提供し、化学処理を実施する。
【００４９】
この反応槽３は、攪拌器４、加熱部材、およびレベル検出器を備えていることが好ましい。加熱部材としては、反応槽３内に沈められ、かつ熱水６を供給される加熱チューブ５などが挙げられる。この反応槽は、絶縁されていることが有利である。
【００５０】
水８および酸性試薬７を、この反応槽３に添加する。
【００５１】
反応槽３に導入した試薬は、攪拌器４によって均質化される混合物を形成する。
【００５２】
混和性の液体−液体を混合することからなる攪拌の操作は、軸方向の流量を変更する素子（axial flow rate mobile element）によって実施されることが好ましい。
【００５３】
攪拌器４は、ポンプ運転にて作動してもよい。
【００５４】
反応槽３における流体力学的な負荷は、低いせん断型のものであることが好ましい。
【００５５】
反応槽３は、反応槽の温度を４５〜１３０℃（好ましくは５０〜９０℃）の温度にまで誘導する加熱チューブ５によって加熱される。
【００５６】
反応槽３に添加される水８の総量は、脂肪廃棄物１または１’の体積の１／１０〜１／２であり、好ましくは脂肪廃棄物１または１’の体積の約１／４である。
【００５７】
反応槽３内の水８は、熱くてもよいし、室温であってもよい。すなわち、反応槽３内の水８は、３０〜１００℃、好ましくは５０〜７０℃の温度であってもよい。例えば水８を、ボイラーによって加熱することが好ましい。
【００５８】
添加された水は、無機物が除去された水であってもよいし、飲料水であってもよいし、清潔なプロセス水であってもよい。
【００５９】
反応槽３内に添加される酸性試薬７の量は、脂肪酸１または１’の体積の０．５〜１０％である。この量は、換言すれば、無水ベースで１０％以下の灰と無水ベースで９０〜９９％の有機物とを含む脂肪廃棄物１Ｌあたり、０．０７〜１．５当量のＨ＋である。また、この量は、脂肪廃棄物の体積の０．５〜４％であることが好ましく、換言すれば、脂肪廃棄物１Ｌあたり、０．０７〜０．６当量のＨ＋である。
【００６０】
本発明に従って脂肪廃棄物中の無機物を低減させるために、添加した酸性試薬７は、無機酸（塩酸（ＨＣｌ）、リン酸（Ｈ３ＰＯ４）、硝酸（ＨＮＯ３）および硫酸（Ｈ２ＳＯ４）など）、またはｐＫａが十分低くかつ水性媒体中の脂肪廃棄物のｐＨよりも低い有機酸、あるいはこれらの酸の組合せであってもよい。このような有機酸としては、例えば、ｐＫａが３．７５であるギ酸ＨＯＯＨが挙げられる。
【００６１】
酸性試薬を選択する場合、無機物の低減割合に加えて、以下の基準を考慮してもよい：工業量における利用可能性、酸性試薬によって脂肪廃棄物の脂肪が破壊されないこと、酸性試薬の沸点は適切であるべきであり、具体的には１００℃よりも高くあるべきであること、化学的処理の間に有害物が放出されないこと、酸性試薬によって反応槽３の材料が腐食されないこと。
【００６２】
例えば、反応槽３がステンレス鋼から作製されている場合、リン酸は、反応槽の壁を腐食しないため、好ましい。
【００６３】
試薬（すなわち、脂肪廃棄物１’（より詳細には脂肪画分）、水８および酸性試薬７）を、種々のシークエンスに従って反応槽３内に注入してもよい。
【００６４】
好ましくは、脂肪廃棄物１’（または脂肪画分）を反応槽３へ最初に提供する。次いで、反応槽３内における試薬間の接触を促進するために、少量の水を添加する。この少量は、例えば、反応槽３内に導入される水８の総量の１０％〜３０％である。
【００６５】
この第一の混合物を均質化し、化学的処理に理想的な温度（４５〜１３０℃の温度）に達するまで加熱する。
【００６６】
次いで、添加される水８の総体積のうちの水８の残量および酸性試薬７を、第一の混合物に同時に注入し、第二の混合物を得る。
【００６７】
常にまたは断続的に均質化しながら、反応槽３の内部における化学的処理を５分〜３時間、持続することが有利である。好ましくは、反応槽３内における反応を４５分間、実施する。
【００６８】
反応槽３内における反応の後に、第二の混合物を、ポンプ９によって熱交換器１０へ移動させる。熱交換器１０は、プレート型であってもよいし、コイル型であってもよいし、スパイラル型であってもよい。
【００６９】
この混合物を熱交換器１０へ移動させる目的は、機械的処理の間にこの混合物が液体の状態を十分に維持するように、機械的処理を受ける前にこの混合物の温度を上昇させるためである。
【００７０】
混合物を、機械的処理の前に、少なくとも８０℃の温度にすることが好ましい。
【００７１】
次いで、ポンプ９によって、反応混合物は機械的分離手段（遠心デバイス１１など）へ到達させられる。
【００７２】
この機械的分離の目的は、化学的処理の間に無機物が除去された脂肪相を、水相および沈殿した残留物から分離することである。
【００７３】
この分離は、２相または３相の遠心デバイスまたは絞り器を用いて、促進的なデカンテーションを行うことによって実行されてもよいし、単一の槽、または複合式もしくは単式の沈殿槽において重力によりデカンテーションすることによって実行されてもよいし、２０μｍ〜１ｍｍ（好ましくは５０μｍ〜１ｍｍ）のメッシュを用いた、加圧式または非加圧式の熱時表面濾過によって実行されてもよい。
【００７４】
次いで、水相１２および沈殿した残留物１３を、それぞれの特性に従って、最良の代替方法を用いて加工または除去する。
【００７５】
このようにして精製された脂肪相は、遠心デバイス１１の出口において、第二の濾過器１４を通過する。このように実施される濾過は、２０μｍ〜１ｍｍ（好ましくは５０μｍ〜１ｍｍ）から構成されるメッシュを用いた、加圧式または非加圧式の熱時表面濾過であってもよい。
【００７６】
次いで、精製し、濾過した脂肪相を、ポンプ１５によって貯蔵槽１６へ運搬する。貯蔵層１６は、反応槽３と類似しており、反応槽３に設けられたチューブと類似のチューブ１７によって加熱されるが、攪拌デバイスを備えていない。
【００７７】
貯蔵槽１６の底部に堆積した残留物１８があれば、この残留物１８を、例えば第一の濾過器２から得られた固体残留物についての同じ代替方法を用いて除去する。
【００７８】
精製し、貯蔵した脂肪相は、ポンプ１９によって、価格の安定化施設２０へ供給してもよい。
【００７９】
例えば、ポンプ９、１５および１９は、回転式の排水ポンプであるか、または別の型の排水ポンプである。
【００８０】
また、脂肪相を、遠心デバイス１１の出口または第二の濾過器１４の出口において、価格の安定化施設２０（図示しない）へ運搬してもよい。
【００８１】
〔実施例１〕
本実施例において、本発明の方法は、重力によるデカンテーション、促進的なデカンテーション、または遠心の何れかによる機械的処理を用いて実施される。
【００８２】
実施された試験および得られた結果を表１に要約する。
【００８３】
脂肪画分の種々のサンプルを、１．６％の体積比の酸性試薬で化学的に処理し、次いで、重力によるデカンテーションを２４時間、実施することによって分離するか、促進的なデカンテーションを実施することによって分離した。
【００８４】
【表１】
2010089080.tif 000003
【００８５】
両方のデカンテーションの様式において、脂肪画分のサンプル中の無機物の量は、半分未満になる。
【００８６】
ほぼ同一の初期特性を有する脂肪画分に関する限り、操作の平均収率は、重力によるデカンテーションのモードを用いるよりも、促進的なデカンテーションのモードを用いる方が良好である。
【００８７】
〔実施例２〕
本実施例において、本発明の方法は、種々の試薬を添加するシークエンスによって実行される化学的処理を実施し、次いで、促進的なデカンテーションに基づく機械的処理を実施することによって実施される。
【００８８】
４つの異なる注入シークエンスに従って加工された、種々の脂肪画分のサンプルについて得られた結果を表２に要約する。
【００８９】
シークエンス１：脂肪画分を導入し、次いで水／酸性試薬の混合物を同時に導入する；
シークケンス２：脂肪画分を導入し、次いで水を導入し、次いで酸性試薬を導入する；
シークケンス３：水／酸性試薬の混合物を導入し、次いで脂肪画分を導入する；
シークケンス４：脂肪画分を導入し、次いで水の一部（注入する水の総量の１０〜３０％）を導入し、次いで、水の残余および酸性試薬を同時に導入する。
【００９０】
【表２】
2010089080.tif 000004
【００９１】
注入シークエンスがどのようなものであれ、脂肪画分の無機物は除去され、高い反応収率（＞８５％）と、目標とする灰の割合（無水ベースで≦０．１％）とが達成される。
【００９２】
品質の近い脂肪画分サンプルに関しては、注入シーケンス４が最良に作動した。事実のところ、注入シーケンス４は、最良の平均収率／平均ＭＭ比を示した。
【００９３】
これらの注入シーケンスは徹底したものではない。具体的には、シーケンス４の水に関し、酸性試薬の注入は２回実施されてもよい。
【００９４】
本発明の方法は、燃料として使用するために脂肪廃棄物を加工する分野に使用され得るか、または脂質化学の分野に使用され得る。
【図面の簡単な説明】
【００９５】
【図１】本発明の方法を実施するために適合された装置の模式図である。
【図１】
2010089080.tif 000005
【外国語明細書】
2010089080000001.pdf